(57)【要約】【課題】金属板の締結時に、塗膜の剥がしを確実に行うことのできる筐体締結リベットを提供する。【解決手段】塗膜３を設けた一方の金属板１と、塗膜４を設けた他方の金属板２とを丸頭リベット９で締結する筐体締結リベットであって、丸頭リベット９は、半球状の頭部９ａと、リベット貫通孔５、６に挿通される胴部９ｂと、胴部９ｂの一部を塑性変形させる引抜ピン部９ｃとで構成され、頭部９ａが一方の金属板１と接する面に、断面不等辺三角形状の凸部９ｅを設けたことを特徴とする。【選択図】  図１
2014202290.tif 000002
【特許請求の範囲】
【請求項１】
塗膜を設けた一方の金属板と、塗膜を設けた他方の金属板とを丸頭リベットで締結する筐体締結リベットであって、
前記丸頭リベットは、頭部と、胴部と、引抜ピン部とで構成され、
前記頭部が前記一方の金属板と接する面に、断面不等辺三角形状の凸部を設けたことを特徴とする筐体締結リベット。
【請求項２】
塗膜を設けた一方の金属板と、塗膜を設けた他方の金属板とを皿頭リベットで締結する筐体締結リベットであって、
前記皿頭リベットは、頭部と、胴部と、引抜ピン部とで構成され、
前記頭部が前記一方の金属板に設けられたリベット貫通孔と接するテーパ面に、断面不等辺三角形状の凸部を設けたことを特徴とする筐体締結リベット。
【請求項３】
前記胴部に断面不等辺三角形状の凸部を設けたことを特徴とする請求項１または請求項２に記載の筐体締結リベット。
【請求項４】
前記凸部の頂部の角度を９０度未満としたことを特徴とする請求項１乃至請求項３のいずれか１項に記載の筐体締結リベット。
【請求項５】
前記引抜ピン部を多角形状としたことを特徴とする請求項１乃至請求項４のいずれか１項に記載の筐体締結リベット。
【発明の詳細な説明】
【技術分野】
【０００１】
本発明の実施形態は、金属閉鎖形スイッチギヤの金属板相互を締結する筐体締結リベットに関する。
【背景技術】
【０００２】
従来、金属閉鎖形スイッチギヤにおいては、リベットを用いて金属板の相互を締結させるものがある。この場合、金属板に塗装した塗膜による接触不良を防ぐため、リベット挿入孔に導電性部材を充填することが知られている（例えば、特許文献１参照。）。
【０００３】
この種の金属板の締結を図６を参照して説明する。図６に示すように、一方の金属板１と他方の金属板２には、それぞれ塗膜３、４が施され、リベット貫通孔５、６が設けられている。リベット貫通孔５、６の外側には、それぞれ歯付座金７、８を設け、丸頭リベット９を貫通させている。丸頭リベット９は、半球状の頭部９ａ、胴部９ｂ、引抜ピン部９ｃで構成されている。
【０００４】
次に、締結方法を説明する。丸頭リベット９をリベット貫通孔５、６に貫通させ、引抜ピン部９ｃを専用工具で引抜くと、胴部９ｃが半径方向に広がるように塑性変形し、二点差線で示すようなカシメ部９ｄが形成される。これにより、一方の金属板１と他方の金属板２が締結される。また、歯付座金７、８によって、塗膜３、４が剥がされ、一方の金属板１と他方の金属板２を導通させることができる。
【先行技術文献】
【特許文献】
【０００５】
【特許文献１】特開２０１２−１３５０８１号公報
【発明の概要】
【発明が解決しようとする課題】
【０００６】
本発明が解決しようとする課題は、塗膜３、４を剥がすために歯付座金７、８などが必要であり、部品点数が増加していた。なお、リベット貫通孔５、６の周りにマスキングを施し、塗装をする方法があるが、作業工数が増えることになる。このため、一方と他方の金属板１、２の締結時に、部品点数を削減し、塗膜３、４の剥がしを確実に行うことができ、作業性の向上が図れる筐体締結リベットを提供することにある。
【課題を解決するための手段】
【０００７】
上記課題を解決するために、実施形態の筐体締結リベットは、塗膜を設けた一方の金属板と、塗膜を設けた他方の金属板とを丸頭リベットで締結する筐体締結リベットであって、前記丸頭リベットは、頭部と、胴部と、引抜ピン部とで構成され、前記頭部が前記一方の金属板と接する面に、断面不等辺三角形状の凸部を設けたことを特徴とする。
【図面の簡単な説明】
【０００８】
【図１】本発明の実施例１に係る筐体締結リベットの構成を示す拡大断面図。
【図２】本発明の実施例１に係る筐体締結リベットの頭部を胴部から見た図。
【図３】本発明の実施例１に係る筐体締結リベットの塑性変形を説明する図。
【図４】本発明の実施例２に係る筐体締結リベットの構成を示す拡大断面図。
【図５】本発明の実施例３に係る筐体締結リベットの構成を示す拡大断面図。
【図６】従来の筐体締結リベットの構成を示す拡大断面図。
【発明を実施するための形態】
【０００９】
以下、図面を参照して本発明の実施例を説明する。
【実施例１】
【００１０】
先ず、本発明の実施例１に係る筐体締結リベットを図１〜図３を参照して説明する。図１は、本発明の実施例１に係る筐体締結リベットの構成を示す拡大断面図、図２は、本発明の実施例１に係る筐体締結リベットの頭部を胴部から見た図、図３は、本発明の実施例１に係る筐体締結リベットの塑性変形を説明する図である。なお、従来と同様の構成部分は、同一符号を付した。
【００１１】
図１に示すように、一方の金属板１と他方の金属板２には、それぞれ塗膜３、４が施され、リベット貫通孔５、６が設けられている。他方の金属板２のリベット貫通孔６の外側には、歯付座金８が設けられ、丸頭リベット９が貫通している。丸頭リベット９は、半球状の頭部９ａ、リベット貫通孔５、６に挿通される胴部９ｂ、胴部９ｂの一部を塑性変形させる引抜ピン部９ｃで構成されており、頭部９ａが一方の金属板１と接する面に、三辺の長さが異なる断面不等辺三角形状の凸部９ｅを設けている。凸部９ｅは、図２に示すように、半径の異なるリング状のものを複数本設け、円周方向で複数に分割している。
【００１２】
次に、締結方法を図１を参照して説明する。丸頭リベット９をリベット貫通孔５、６に貫通し、引抜ピン部９ｃを専用工具で引抜くと、胴部９ｃが半径方向に広がるように塑性変形し、二点差線で示すようなカシメ部９ｄが形成される。これにより、一方の金属板１と他方の金属板２が締結される。また、凸部９ｅによって、塗膜３が剥がされ、一方の金属板１と他方の金属板２を導通させることができる。他方の金属板２の塗膜４は、従来と同様、歯付座金８で剥がされる。
【００１３】
ここで、凸部９ｅは、図３に示すように、一方の金属板１と接する頂部が塑性変形するとともに、図示右側方向の長い辺の方向に移動しようとする力が働く。このため、塗膜３を効率よく剥がすことができる。接する頂部の角度が９０度未満の鋭角であれば、塗膜３の剥がしがより効果的となる。なお、断面二等辺三角形状では、凸部９ｅが移動し難く、塗膜３の剥がれが不等辺三角形状よりも劣る。
【００１４】
これらのことより、凸部９ｅにより、塗膜３を確実に剥がすことができる。また、歯付座金８が他方の金属板２側だけでよく、部品点数の削減ができる。なお、引抜ピン部９ｃを多角形状とし、専用工具で引抜く際、丸頭リベット９に回転を与えると、塗膜３、４の剥がしをより確実なものとすることができる。
【００１５】
上記実施例１の筐体締結リベットによれば、丸頭リベット９の頭部９ａが一方の金属板１と接する面に、断面不等辺三角形状の凸部９ｅを設けているので、頂部が塑性変形し易く、塗膜３の剥がしを効果的に行うことができ、部品点数の削減、作業効率を向上させることができる。
【実施例２】
【００１６】
次に、本発明の実施例２に係る筐体締結リベットを図４を参照して説明する。図４は、本発明の実施例２に係る筐体締結リベットの構成を示す拡大断面図である。なお、この実施例２が実施例１と異なる点は、皿頭リベットにしたことである。図４において、実施例１と同様の構成部分においては、同一符号を付し、その詳細な説明を省略する。
【００１７】
図４に示すように、一方の金属板１には、円錐状のリベット貫通孔１０を設けている。このリベット貫通孔１０と他方の金属板２のリベット貫通孔６に皿頭リベット１１が貫通している。皿頭リベット１１は、リベット貫通孔１０に嵌め込まれる円錐状の頭部１１ａ、胴部１１ｂ、引抜ピン部１１ｃで構成されており、リベット貫通孔１０と接する頭部１１ａのテーパ面にはリング状の三辺の長さが異なる断面不等辺三角形状の凸部１１ｅを複数設けている。
【００１８】
上記実施例２の筐体締結リベットによれば、皿頭リベット１１においても、実施例１と同様の効果を得ることができる。
【実施例３】
【００１９】
次に、本発明の実施例３に係る筐体締結リベットを図５を参照して説明する。図５は、本発明の実施例３に係る筐体締結リベットの構成を示す拡大断面図である。なお、この実施例３が実施例２と異なる点は、リベットの胴部に凸部を設けたことである。図５において、実施例１と同様の構成部分においては、同一符号を付し、その詳細な説明を省略する。
【００２０】
図５に示すように、皿頭リベット１１の胴部１１ｂには、リング状の断面不等辺三角形状の凸部１１ｆを複数設けている。なお、実施例１の丸頭リベットにも胴部に凸部を設けることができる。
【００２１】
上記実施例３の筐体締結リベットによれば、実施例２による効果のほかに、リベット貫通孔６内周面でも導通させることができ、確実に一方と他方の金属板１、２を導通させることができる。
【００２２】
以上述べたような実施形態によれば、リベット締結時に、金属板の塗膜を確実に剥がすことができる。
【００２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１  一方の金属板
２  他方の金属板
３、４  塗膜
５、６、１０  リベット貫通孔
７、８  歯付座金
９  丸頭リベット
９ａ、１１ａ  頭部
９ｂ、１１ｂ  胴部
９ｃ、１１ｃ  引抜ピン部
９ｄ  カシメ部
９ｅ、１１ｅ、１１ｆ  凸部
１１  皿頭リベット
【図１】
2014202290.tif 000003
【図２】
2014202290.tif 000004
【図３】
2014202290.tif 000005
【図４】
2014202290.tif 000006
【図５】
2014202290.tif 000007
【図６】
2014202290.tif 000008